(57)【要約】      （修正有）【課題】蛍光強度と、発色性とを損なうことなく、良好な耐光性を有する記録物を得ることができるインク組成物およびこれを用いた記録方法の提供。【解決手段】インク組成物は、Ｃ．Ｉ．アシッドレッド５２と、Ｃ．Ｉ．アシッドレッド９２と、特定のモノアゾ染料とを少なくとも含んでなるインク組成物であって、Ｃ．Ｉ．アシッドレッド５２と、Ｃ．Ｉ．アシッドレッド９２との含有量の和と、特定のモノアゾ染料の含有量との比が、特定の範囲内であるインク組成物をインクジェット記録方法に用いる。【選択図】なし【特許請求の範囲】
【請求項１】
Ｃ．Ｉ．アシッドレッド５２と、Ｃ．Ｉ．アシッドレッド９２と、下記式（I）で表される染料とを少なくとも含んでなるインク組成物であって、
前記Ｃ．Ｉ．アシッドレッド５２と、前記Ｃ．Ｉ．アシッドレッド９２との含有量の和と、下記式（Ｉ）で表される染料の含有量との比が、１：０．１〜１：４である、インク組成物：
【化１】
2011195681.tif 000010
（上記式中、
Ｒ１〜Ｒ１０は、水素原子、炭素数１〜６のアルキル基、スルホ基、またはそれらの塩を表し、
Ｒ１およびＲ５が、それぞれ独立して、共にアルキル基を表す場合には、Ｒ１のアルキル基を構成する炭素数と、Ｒ５のアルキル基を構成する炭素数との合計が３以上であり、Ｒ１およびＲ５は、それぞれ置換基を有していてもよく、
Ｒ６およびＲ１０が、それぞれ独立して、共にアルキル基を表す場合には、Ｒ６のアルキル基を構成する炭素数と、Ｒ１０のアルキル基を構成する炭素数との合計が３以上であり、Ｒ６およびＲ１０は、それぞれ置換基を有していてもよく、
Ｍ１は、水素原子またはアルカリ金属原子を表す）。
【請求項２】
前記式（I）で表される染料が、インク組成物に対し、０．２〜２．０質量％含まれてなる、請求項１に記載のインク組成物。
【請求項３】
前記Ｃ．Ｉ．アシッドレッド５２が、インク組成物に対し、０．０４〜０．１質量％含まれてなる、請求項１または２に記載のインク組成物。
【請求項４】
前記Ｃ．Ｉ．アシッドレッド９２が、インク組成物に対し、０．４〜１．２質量％含まれてなる、請求項１〜３のいずれか一項に記載のインク組成物。
【請求項５】
インク組成物の液滴を吐出し、該液滴を記録媒体に付着させて印字を行うインクジェット記録方法であって、請求項１〜４のいずれか一項に記載のインク組成物を用いる、インクジェット記録方法。
【発明の詳細な説明】
【発明の背景】
【０００１】
発明の分野
本発明は、蛍光染料を含んでなるインク組成物およびそれを用いたインクジェット記録方法に関する。
【０００２】
背景技術
郵便料金または料金別納郵便物の証印の押印のための料金別納印刷機において、赤色蛍光インクが使用されている。とりわけ、北米においては、料金別納郵便物の証印に使用されるインクとして、米国郵政公社で使用される自動読取装置によって読み取りができる赤色蛍光インクが指定されている。
【０００３】
自動読取装置では、バーコードの読み取りだけでなく、郵便物の表裏の検出も同時に行われる。そのため、赤色蛍光インクは、バーコード読み取り精度向上のために高い光学濃度だけでなく、検出郵便物の表裏検知ミス低減のために高い蛍光強度も必要とされる。
【０００４】
料金別納郵便物用の蛍光インクとして、特開平９−２９１２４６号公報（特許文献１）は、補助溶剤浸透剤としてグリコールエーテルが添加された、耐水性に優れる赤色蛍光インクを開示している。
【０００５】
また、特開２００６−１３１６６７号公報（特許文献２）は、蛍光染料として、Ｃ．Ｉ．アシッドレッド５２および９２を用いた水溶解蛍光色材と、顔料としてＣ．Ｉ．ピグメントレッド１２２等からなる顔料分散体溶液とを併用した、蛍光発色性が良好な水性蛍光インクを開示している。
【０００６】
しかしながら、蛍光染料は耐光性に弱いが、耐光性を向上させるために別の染料等を混合すると、蛍光染料と、別の染料との相互作用により蛍光強度が急激に低下する場合があった。
【０００７】
また、これまでにＣ．Ｉ．アシッドレッド５２および９２を用いた赤色蛍光インク組成物に、Ｃ．Ｉ．ダイレクトイエロー８７を併用することにより、蛍光強度と、発色性（光学濃度）とに優れた赤色蛍光インク組成物が提供されている（特開２００９−２５６５４４号公報：特許文献３）が、蛍光強度と、発色性（光学濃度）とを損なうことなく、良好な耐光性を有するインク組成物については、未だ希求されているといえる。
【先行技術文献】
【特許文献】
【０００８】
【特許文献１】特開平９―２９１２４６号公報
【特許文献２】特開２００６−１３１６６７号公報
【特許文献３】特開２００９−２５６５４４号公報
【発明の概要】
【０００９】
本発明者らは、今般、Ｃ．Ｉ．アシッドレッド５２と、Ｃ．Ｉ．アシッドレッド９２と、下記式（I）で表される染料とを少なくとも含んでなるインク組成物であって、Ｃ．Ｉ．アシッドレッド５２と、Ｃ．Ｉ．アシッドレッド９２との含有量の和と、アントラピリドン系染料の含有量との比が特定の範囲内にあるインク組成物とすることにより、蛍光強度と、発色性とを損なうことなく、良好な耐光性を有するインク組成物が得られるとの知見を得た。本発明はこれらの知見に基づくものである。
【００１０】
従って、本発明は、蛍光強度と、発色性とを損なうことなく、良好な耐光性を有する記録物を得ることができるインク組成物の提供をその目的としている。
【００１１】
そして、本発明によるインク組成物は、Ｃ．Ｉ．アシッドレッド５２と、Ｃ．Ｉ．アシッドレッド９２と、下記式（I）で表される染料とを少なくとも含んでなるインク組成物であって、
Ｃ．Ｉ．アシッドレッド５２と、Ｃ．Ｉ．アシッドレッド９２との含有量の和と、下記式（Ｉ）で表される染料の含有量との比が、１：０．１〜１：４であるインク組成物である：
【化１】
2011195681.tif 000002
（上記式中、
Ｒ１〜Ｒ１０は、水素原子、炭素数１〜６のアルキル基、スルホ基、またはそれらの塩を表し、
Ｒ１およびＲ５が、それぞれ独立して、共にアルキル基を表す場合には、Ｒ１のアルキル基を構成する炭素数と、Ｒ５のアルキル基を構成する炭素数との合計が３以上であり、Ｒ１およびＲ５は、それぞれ置換基を有していてもよく、
Ｒ６およびＲ１０が、それぞれ独立して、共にアルキル基を表す場合には、Ｒ６のアルキル基を構成する炭素数と、Ｒ１０のアルキル基を構成する炭素数との合計が３以上であり、Ｒ６およびＲ１０は、それぞれ置換基を有していてもよく、
Ｍ１は、水素原子またはアルカリ金属原子を表す）。
【００１２】
また、本発明によるインクジェット記録方法は、インク組成物の液滴を吐出し、該液滴を記録媒体に付着させて印字を行うインクジェット記録方法であって、上記インク組成物を用いるものである。
【００１３】
本発明によれば、蛍光強度と、発色性とを損なうことなく、良好な耐光性を有する記録物を得ることができるインク組成物を提供することができる。
【発明の具体的説明】
【００１４】
インク組成物
本発明によるインク組成物は、Ｃ．Ｉ．アシッドレッド５２（C.I. Acid Red 52）、Ｃ．Ｉ．アシッドレッド９２（C.I. Acid Red 92）、および上記式（I）で表される染料を少なくとも含んでなるインク組成物であって、Ｃ．Ｉ．アシッドレッド５２と、Ｃ．Ｉ．アシッドレッド９２との含有量の和と、下記式（Ｉ）で表される染料の含有量との比が、１：０．１〜１：４であることより、蛍光強度と、発色性とを損なうことなく、良好な耐光性を有する記録物を得ることができる。以下、本発明のインク組成物に含まれる各成分について説明する。
【００１５】
＜染料＞
本発明によるインク組成物は、Ｃ．Ｉ．アシッドレッド５２、Ｃ．Ｉ．アシッドレッド９２、および上記式（I）で表される染料を少なくとも含んでなる。なお、tert-Buは、tert-ブチル基を表す。
【００１６】
本発明の好ましい上記式（Ｉ）で表される染料の化合物群としては、
Ｒ１〜Ｒ１０は、水素原子、炭素数１〜５のアルキル基、スルホ基、またはそれらのリチウム塩を表し、
Ｒ１およびＲ５が、それぞれ独立して、共にアルキル基を表す場合には、Ｒ１のアルキル基を構成する炭素数と、Ｒ５のアルキル基を構成する炭素数との合計が４〜６であり、Ｒ１およびＲ５は、それぞれ置換基を有さず、
Ｒ６およびＲ１０が、それぞれ独立して、共にアルキル基を表す場合には、Ｒ６のアルキル基を構成する炭素数と、Ｒ１０のアルキル基を構成する炭素数との合計が４〜６であり、Ｒ６およびＲ１０は、それぞれ置換基を有さず、
Ｍ１はアルカリ金属原子を表す化合物群が挙げられる。
【００１７】
本発明のより好ましい上記式（Ｉ）で表される染料の化合物群としては、
Ｒ１〜Ｒ１０は、水素原子、炭素数１〜２のアルキル基、スルホ基、またはそれらのリチウム塩を表し、
Ｒ１およびＲ５が、それぞれ独立して、共にアルキル基を表す場合には、Ｒ１のアルキル基を構成する炭素数と、Ｒ５のアルキル基を構成する炭素数との合計が４であり、Ｒ１およびＲ５は、それぞれ置換基を有さず、
Ｒ６およびＲ１０が、それぞれ独立して、共にアルキル基を表す場合には、Ｒ６のアルキル基を構成する炭素数と、Ｒ１０のアルキル基を構成する炭素数との合計が４であり、Ｒ６およびＲ１０は、それぞれ置換基を有さず、
Ｍ１はリチウム原子を表す化合物群が挙げられる。
【００１８】
本発明において、前記Ｃ．Ｉ．アシッドレッド５２と、前記Ｃ．Ｉ．アシッドレッド９２との含有量の和と、上記式（I）で表される染料の含有量との比が、１：０．１〜１：４であり、さらに好ましくは、前記含有量比が１：０．１〜１：１．１である。この範囲とすることにより、さらに蛍光強度に優れたインク組成物を得ることができる。
【００１９】
本発明において、上記式（I）で表される染料は、蛍光強度と、発色性とを損なうことなく、良好な耐光性を有する記録物を得ることができれば特に限定されないが、好ましくは、インク組成物に対し、０．２〜２．０質量％含まれてなり、さらに好ましくは０．２〜０．８質量％である。この範囲とすることにより、さらに蛍光強度に優れたインク組成物を得ることができる。
【００２０】
本発明において、前記Ｃ．Ｉ．アシッドレッド５２は、好ましくは、インク組成物に対し、０．０４〜０．１質量％含まれてなり、さらに好ましくは、０．０８〜０．１質量％である。この範囲とすることにより、蛍光強度と、発色性とを損なうことなく、良好な耐光性を有する記録物を得ることができる。
【００２１】
本発明において、Ｃ．Ｉ．アシッドレッド９２は、好ましくは、インク組成物に対し、０．４〜１．２質量％含まれてなり、さらに好ましくは、０．６〜０．９質量％である。この範囲とすることにより、蛍光強度と、発色性とを損なうことなく、良好な耐光性を有する記録物を得ることができる。
【００２２】
＜水およびその他の成分＞
本発明によるインク組成物は、水は主溶媒として水を含んでなることが好ましく、イオン交換水、限外濾過水、逆浸透水、蒸留水等の純水または超純水を用いることがより好ましい。特に、紫外線照射または過酸化水素添加等により滅菌処理した水を用いることが、カビやバクテリアの発生を防止してインク組成物の長期保存を可能にする点で好ましい。
【００２３】
本発明によるインク組成物は、水溶性有機化合物を含んでなることが好ましい。水溶性有機溶媒は、好ましくは低沸点有機溶剤であり、その例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどが挙げられる。特に一価アルコールが好ましい。低沸点有機溶剤は、インクの乾燥時間を短くする効果がある。低沸点有機溶剤の添加量はインクの０．１〜３０質量％が好ましく、より好ましくは５〜１０質量％の範囲である。
【００２４】
また、本発明の好ましい態様によれば、本発明によるインク組成物は、さらに高沸点有機溶媒の一種または二種以上からなる湿潤剤を含んでなる。高沸点有機溶媒剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどの多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールモノイソブチルエーテル、ジエチレングリコールモノヘキシルエーテル、トリエチレングリコールモノメチルエーテル、トリエチレングリコールモノエチルエーテル、トリエチレングリコールモノブチルエーテル、へキサエチレングリコールモノエチルヘキシルエーテル（日本乳化剤社製：ニューコール１００６）、テトラエチレングリコールモノエチルヘキシルエーテル（日本乳化剤社製：ニューコール１００４）などの多価アルコールのアルキルエーテル類、尿素、２−ピロリドン、Ｎ−メチル−２−ピロリドン、１，３−ジメチル−２−イミダゾリジノンなどが挙げられる。好ましくは、多価アルコールのアルキルエーテル類である。
【００２５】
本発明において多価アルコールのアルキルエーテル類の好ましい態様として、トリエチレングリコールモノブチルエーテル、ジエチレングリコールモノブチルエーテル、トリエチエレングリコールモノメチルエーテル、ジエチレングリコールモノイソブチルエーテル、ジエチレングリコールモノヘキシルエーテル、へキサエチレングリコールモノエチルヘキシルエーテル、テトラエチレングリコールモノエチルヘキシルエーテルを一種または二種以上を組み合わせることもできる。さらに好ましくは、ヘキサエチレングリコールモノエチルヘキシルエーテルとトリエチレングリコールモノブチルエーテル、またはテトラエチレングリコールモノエチルヘキシルエーテルとトリエチレングリコールモノブチルエーテルとの組み合わせが挙げられる。これらの多価アルコールのアルキルエーテル類を組み合わせて添加することにより、浸透性および高温環境下におけるインク組成物の安定性等の面で優れたインク組成物を得ることができる。これらの二種の多価アルコールのアルキルエーテル類は、さまざまな割合で添加することもできるが、１：１〜１：３の割合で添加することが好ましい。
【００２６】
これらの高沸点有機溶媒の添加量は、０．５〜１５質量％が好ましく、より好ましくは１〜１０質量％の範囲である。高沸点有機溶媒の添加量を前記範囲に置くことにより、より良好な蛍光強度と発色性とを両立して有する蛍光インク組成物を得ることができる。さらに、テトラエチレングリコールモノエチルヘキシルエーテルと、トリエチレングリコールモノブチルエーテルとの合計含量が、インク組成物中に１〜６質量％、ヘキサエチレングリコールモノエチルヘキシルエーテルと、トリエチレングリコールモノブチルエーテルとの合計含量が、インク組成物中に１〜１０質量％含んでなることが好ましい。
【００２７】
更に本発明の好ましい態様によれば、本発明によるインク組成物は、糖、三級アミン、水酸化アルカリ、またはアンモニアを含有してなるのが好ましい。これらの添加によって、長期間の保管においても色材の凝集や粘度の上昇がなく保存安定性に優れ、また開放状態（室温で空気に触れている状態）で放置しても流動性と再分散性を長時間維持し、さらに、印字中もしくは印字中断後の再起動時にノズルの目詰まりが生じることもなく吐出安定性が高いインク組成物が得られる。
【００２８】
本発明によるインク組成物に添加することができる糖は、単糖類、二糖類、オリゴ糖類（三糖類および四糖類を含む）、および多糖類が挙げられ、好ましくはグルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオースなどが挙げられる。ここで、多糖類とは広義の糖を意味し、アルギン酸、α−シクロデキストリン、セルロースなど自然界に広く存在する物質を含む意味に用いることとする。また、これらの糖類の誘導体としては、前記した糖類の還元糖（例えば、糖アルコール（一般式ＨＯＣＨ2（ＣＨＯＨ）ｎＣＨ2ＯＨ（ここで、ｎ＝２〜５の整数を表す）で表される）、酸化糖（例えば、アルドン酸、ウロン酸など）、アミノ酸、チオ糖などが挙げられる。特に糖アルコールが好ましく、具体例としてはマルチトール、ソルビットなどが挙げられる。
【００２９】
これら糖類の含有量は、インク組成物中に０．１〜４０質量％、より好ましくは１〜３０質量％の範囲である。
【００３０】
本発明によるインク組成物に添加することができる三級アミンは、トリメチルアミン、トリエチルアミン、トリエタノールアミン、ジメチルエタノールアミン、ジエチルエタノールアミン、トリイソプロペノールアミン、ブチルジエタノールアミン等が挙げられる。これらは、単独で使用しても併用しても構わない。これら三級アミンの本発明のインク組成物への添加量は、０．１〜１０質量％、より好ましくは、０．５〜５質量％である。
【００３１】
本発明によるインク組成物に添加することができる水酸化アルカリは、水酸化カリウム、水酸化ナトリウム、水酸化リチウムであり、本発明のインク組成物への添加量は、０．０１〜５質量％であり、好ましくは０．０５〜３質量％である。
【００３２】
本発明のインク組成物は、さらに界面活性剤を含有することができる。界面活性剤の例としては、アニオン性界面活性剤（例えばドデシルベンゼルスルホン酸ナトリウム、ラウリル酸ナトリウム、ポリオキシエチレンアルキルエーテルサルフェートのアンモニウム塩など）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなど）および、アセチレングリコール（オレフィンＹ、並びにサーフィノール８２、１０４、４４０、４６５、および４８５（いずれもAir Products and Chemicals Inc. 製）、並びにオルフィンＰＤ００２Ｗ（日信化学工業社製））が挙げられる。これらは単独使用または二種以上を併用することができる。好ましくは、オルフィンＰＤ００２Ｗが挙げられる。
【００３３】
本発明によるインク組成物は、必要に応じて、ｐＨ調整剤、防腐剤、防かび剤、りん系酸化防止剤等が添加されていても良い。好ましい防腐剤としては、例えば、プロキセルＣＲＬ、プロキセルＢＤＮ、プロキセルＧＸＬ、プロキセルＸＬ−２、プロキセルＩＢ、またはプロキセルＴＮなどを挙げることができる。
【００３４】
インクジェット記録方法
本発明によるインク組成物を用いるインクジェット記録方法は、インク組成物の液滴を吐出し、該液滴を加熱された記録媒体に付着させて印字を行うものである。インク組成物の液滴を吐出する方法の例としては、例えば電歪素子を用いて電気信号を機械信号に変換して、ノズルヘッド部分に貯えたインクを断続的に吐出して記録媒体表面に文字や記号を記録する方法、ノズルヘッド部分に貯えたインクを吐出部分に極めて近い箇所で急速に加熱し泡を発生させ、その泡による体積膨張で断続的に吐出することで記録媒体表面に文字や記号を記録する方法が挙げられる。本発明の好ましい態様によれば、本発明によるインク組成物を含むインクセットは、電歪素子を用いたインクジェット記録方法に好ましく用いられる。インク組成物の液滴を吐出は、圧電素子の力学的作用を利用してインク滴を吐出させる記録ヘッドにより行われることが好ましい。
【００３５】
本発明によるインク組成物を用いて記録媒体上に記録が行われた記録物は、蛍光強度と、発色性とを損なうことなく、良好な耐光性を有する画像を示す。
【００３６】
記録媒体としては、種々のものを使用することができ、例えば、封筒、インクジェット専用紙（マット紙、光沢紙など）、普通紙、印刷本紙、フィルム等を挙げることができる。特に、封筒が好ましい。
【実施例】
【００３７】
本発明を以下の実施例により更に詳細に説明するが、本発明はこれらの例に限定されるものではない。
【００３８】
インク組成物の調製
下記表１の組成に従い各成分を混合し、１０μｍのメンブランフィルターでろ過することにより、各インクを調製した。なお、表１中の数値はインク中の含有量（質量基準％）を表す。なお、表１中、TEG-mBEはトリエチレングリコール モノ-ブチルエーテルを表し、N1006はヘキサエチレングリコール モノ-エチルヘキシルエーテル（ニューコール１００６：日本乳化剤社製）を表し、EDTAはエチレンジアミン四酢酸ニナトリウムを表し、PD002WはオルフィンＰＤ００２Ｗ（日信化学工業社製）を表し、MD20はサーフィノールＭＤ２０（エアープロダクツジャパン社製）を表し、プロキセルＸＬ２は１，２−ジベンジソチアゾリン−３−オン（Ａｖｅｃｉａ社製）を表し、さらに水の量を示す「残量」は、水以外の成分とあわせて合計１００％になる量を示す。
なお、表１中のマゼンタ染料Ａ、Ｂ、Ｃ、およびＤは、それぞれ、下記式により表される化合物であり、マゼンタ染料ＣおよびＤ式中、Ｍ＝ＮＨ４である化合物と、Ｍ＝Ｎａである化合物とを１：１の割合（モル比）で混合したものである。マゼンタ染料Ａは上記式（I）で表される化合物の例である。
【００３９】
【化２】
2011195681.tif 000003
【００４０】
【化３】
2011195681.tif 000004
【００４１】
【化４】
2011195681.tif 000005
【００４２】
【化５】
2011195681.tif 000006
【００４３】
【表１】
2011195681.tif 000007
【００４４】
評価方法
発色性の評価
各インク組成物をインクジェットプリンターＭＪ−８０００Ｃ（セイコーエプソン社製）を用い、３６０ｄｐｉの解像度でＳｃｒｉｐｔ製ＤＬ封筒に１００％Ｄｕｔｙのベタパターンの印刷を行った。印刷した記録物を２４℃の環境下で２４時間放置した後、グレタグ濃度計（グレタグマクベス社製）を用いてベタ部分のＯＤ値（ＯＤｍ）を測定し、下記評価基準により評価した。
Ａ：ＯＤ値が０．９０以上の場合
Ｂ：ＯＤ値が０．８４以上０．９０未満の場合
Ｃ：ＯＤ値が０．８４未満の場合
評価結果を下記表２および表３に示す。
【００４５】
蛍光強度の評価
記録信号に応じた熱エネルギーをインクに付与することにより各インク組成物を吐出させるオンデマンド型マルチ記録ヘッドを有するインクジェット記録装置ＭＪ−８０００Ｃ（セイコーエプソン社製）を用いて、Ｓｃｒｉｐｔ製ＤＬ封筒に１００％Ｄｕｔｙのベタパターンを印字し、日立（株）社製の蛍光光度計（Ｆ−４５００）を用いて下記条件下で蛍光強度を測定した。測定の際の条件は、励起波長を３６５ｎｍとし、５５０ｎｍから６５０ｎｍ間の最大蛍光波長での蛍光強度を測定し、下記評価基準により評価した。
Ａ：蛍光強度が３００以上の場合
Ｂ：蛍光強度が２００以上３００未満の場合
Ｃ：蛍光強度が１００以上２００未満の場合
Ｄ：蛍光強度が１００未満の場合
評価結果を下記表２および表３に示す。
【００４６】
耐光性の評価
各インク組成物をインクジェットプリンターＭＪ−８０００Ｃ（セイコーエプソン社製）を用い、３６０ｄｐｉの解像度でＳｃｒｉｐｔ製ＤＬ封筒にベタ印刷を行った。印刷した記録物を２４℃の環境下で２４時間放置した後、スガ試験機（株）社製のキセノンウェザーメーター（ＸＬ７５Ｓ）を用いて、２４℃、５０％ＲＨの条件下、２４時間の耐光性試験を行った。その後、グレタグ濃度計（グレタグマクベス社製）を用いて、ベタ部分のＯＤ値（ＯＤｍ）を測定した。
得られた結果から次式：
ＲＯＤ（％）＝（Ｄ／Ｄ0）×１００
（式中、Ｄは耐光性試験後のＯＤ値、Ｄ0は耐光性試験前のＯＤ値を表す。）を用いて光学濃度残存率（ＲＯＤ）を求め、下記評価基準により評価した。
Ａ：ＲＯＤが６０％以上の場合
Ｂ：ＲＯＤが２０％以上６０％未満の場合
Ｃ：ＲＯＤが２０％未満の場合
評価結果を下記表２および表３に示す。
【００４７】
【表２】
2011195681.tif 000008
【００４８】
【表３】
2011195681.tif 000009